(57)【要約】【課題】格別に取付部材を用いることなく、棚板上を左右に仕切る中仕切板を着脱自在に棚板に取り付けることを可能とする商品陳列棚を提供する。【解決手段】商品陳列用棚８上の領域を左右に仕切る中仕切板５０を備えた商品陳列用棚８において、棚板２５は、商品を載置する上壁３０と、上壁３０後端から下方に延在する後壁３２と、上壁３０及び後壁３２にそれぞれ形成された中仕切用係合孔５１、５３を有すると共に、中仕切板５０は、下方に突出して中仕切用係合孔５１、５３に挿脱可能に差し込まれる係合辺５４を有し、係合辺５４は、上壁３０の中仕切用係合孔５１を通過して後壁３２の中仕切用係合孔５３に向い、中仕切用係合孔５３に進入して係脱可能に係合する形状を有する。【選択図】図８
2008073217.tif 000002
【特許請求の範囲】
【請求項１】
商品陳列用の棚板と、該棚板上の領域を左右に仕切る中仕切板とを備えた商品陳列棚において、
前記棚板は、商品を載置する上壁と、該上壁の後端から下方に延在する後壁と、前記上壁及び後壁にそれぞれ形成された中仕切用係合孔を有すると共に、前記中仕切板は、下方に突出して前記中仕切用係合孔に挿脱可能に差し込まれる係合辺を有し、
該係合辺は、前記上壁の中仕切用係合孔を通過して前記後壁の中仕切用係合孔に向い、当該中仕切用係合孔に進入して係脱可能に係合する形状を有することを特徴とする商品陳列棚。
【請求項２】
前記後壁は、下端が前方に位置するよう前記上壁と鋭角を成すことを特徴とする請求項１に記載の商品陳列棚。
【請求項３】
前記棚板の側部に立設される商品落下防止用のガードを備え、
前記棚板は、両側端から下方に延在する側壁と、前記上壁の両側端部に形成されたガード用係合孔を有すると共に、前記ガードは、内面との間に間隔を存して下方に延在し、前記ガード用係合孔に挿脱可能に差し込まれる差込辺を有し、
該差込辺が前記ガード用係合孔に差し込まれた状態で、前記ガードは前記側壁外面に密接し、前記棚板に保持されることを特徴とする請求項１又は請求項２に記載の商品陳列棚。
【発明の詳細な説明】
【技術分野】
【０００１】
本発明は、ショーケースなどに架設される商品陳列棚に関するものであって、特に、棚上に陳列される商品を整然と並べるために用いられる中仕切板及び商品落下防止用ガードに関するものである。
【背景技術】
【０００２】
従来より、スーパーマーケットやコンビニエンスストアなどの店舗に設置されるショーケース等には、庫内に商品陳列用の棚が複数段架設されている。各商品陳列棚には、缶や瓶、ペットボトル、紙パックなどに封入された飲料等の商品が並べられる。一般に、各商品陳列棚には、前後方向に構成される列に同一の商品が載置され、ショーケース前面から見た際に、複数種類の商品が見分けやすく整然と陳列されている。
【０００３】
このとき、商品陳列棚上の陳列形態が乱雑であると顧客に対して不快感を与え、購買意欲を損なわせてしまうと共に、載置できる商品量も少なくなってしまう問題がある。そのため、商品を棚上に補給する場合には、整然と配列する必要があると共に、顧客の商品選択等によりその配列が乱された場合には、迅速に整理する必要がある。
【０００４】
しかしながら、一枚の棚上に陳列される商品は一種類、或いは同一形状のものとは限られず、通常は、大小様々な商品がそれぞれ一つの集合を形作って陳列されることになる。そこで、商品の補給時の配列、或いは整理作業を容易に行うため、例えば特許文献１や特許文献２に開示されている陳列棚が提案されている。
【０００５】
特許文献１に開示されている陳列棚は、矩形状に形成された金属棒製の周囲枠と、前後に渡って溶接された複数の線条により棚本体が構成されており、この棚本体の前側にはプライスタグが形成されている。そして、中仕切部材の前端に設けられた支持辺を棚本体前端とプライスタグとの間隔に挿入し、中仕切部材の後端に設けられたフックを棚本体の周囲枠に係止させることによって、前後に渡って構成される中仕切部材を棚本体に取り付けていた。
【０００６】
この中仕切部材は、棚の左右方向に任意の位置に取り付けられるものであり、所定の間隔を存して複数取り付けることによって、棚本体上を左右に複数仕切ることができ、そこにペットボトル入り飲料等の商品を整然と並べて陳列していた。
【０００７】
特許文献２に開示されている陳列棚は、上面に両側が起立し側壁を構成する底壁を左右に載置し、当該底壁上に商品を陳列することによって、側壁間に複数の商品陳列領域を形成し、そこにペットボトル入り飲料等の商品を整然と並べて陳列していた。
【特許文献１】特開平７−３０３５４９号公報
【特許文献２】特開平６−２５３９６１号公報
【発明の開示】
【発明が解決しようとする課題】
【０００８】
しかしながら、特許文献１に記載の中仕切部材は、金属棒により構成される周囲枠と、当該周囲枠の前後に渡って溶接される複数の線条により棚板が構成される陳列棚に取り付け可能とされるものである。そのため、金属板を折曲形成することにより棚板が構成されている陳列棚には、当該中仕切部材を取り付けることができないという問題がある。
【０００９】
一方、昨今では、リーチイン型の冷蔵庫やウォークイン型の冷蔵庫などにおいて、商品を陳列棚後方から補充し、前端から取り出し可能とする先入れ先出し方式が採用されている。この場合、陳列棚自体が前方に低く傾斜してショーケース本体に架設されており、陳列棚後方から補充された商品は、自重により傾斜面を滑動して前方に移動する。そのため、陳列される商品を種類毎に整然と並べ、円滑に商品の補充・前出しを行うためには、上述した如き中仕切部材があることが好ましい。
【００１０】
しかし、特許文献１に記載の中仕切部材は上述したように、線条にて棚本体が構成される商品陳列棚に採用可能とされるものであるため、このように、先入れ先出し方式を採用した冷蔵庫では、適切に中仕切部材を設けることができないという問題がある。
【００１１】
これに対し、特許文献２に示される如く側壁を備えた複数の底壁上に商品を陳列することで、当該側壁を中仕切部材として使用することも可能であるが、係る場合には、側壁間の幅寸法が限定されてしまうため、大小様々な商品の陳列には適さないという問題がある。
【００１２】
そこで、棚本体に載置される商品間に前後に延在して形成される仕切板を設けることが考えられるが、棚上面に段差を形成することなく棚上に仕切板を設けるためには、少なくとも仕切板の前後を支持するための部材を用いなければならない。係る場合には、部品点数の増加に伴い、コストの高騰や取付作業性が煩雑となる問題がある。また、棚上面に陳列される商品は、飲料などの液体が多いことから、当該仕切板への荷重に耐えられる取付構造でなければならないという問題がある。
【００１３】
そこで、本発明は従来の技術的課題を解決するためになされたものであり、格別に取付部材を用いることなく、棚板上を左右に仕切る中仕切板を着脱自在に棚板に取り付けることを可能とする商品陳列棚を提供する。
【課題を解決するための手段】
【００１４】
本発明の商品陳列棚は、商品陳列用の棚板と、該棚板上の領域を左右に仕切る中仕切板とを備えたものであって、棚板は、商品を載置する上壁と、該上壁の後端から下方に延在する後壁と、上壁及び後壁にそれぞれ形成された中仕切用係合孔を有すると共に、中仕切板は、下方に突出して中仕切用係合孔に挿脱可能に差し込まれる係合辺を有し、該係合辺は、上壁の中仕切用係合孔を通過して後壁の中仕切用係合孔に向い、当該中仕切用係合孔に進入して係脱可能に係合する形状を有することを特徴とする。
【００１５】
請求項２の発明の商品陳列棚は、上記発明において、後壁は、下端が前方に位置するよう上壁と鋭角を成すことを特徴とする。
【００１６】
請求項３の発明の商品陳列棚は、上記各発明において、棚板の側部に立設される商品落下防止用のガードを備え、棚板は、両側端から下方に延在する側壁と、上壁の両側端部に形成されたガード用係合孔を有すると共に、ガードは、内面との間に間隔を存して下方に延在し、ガード用係合孔に挿脱可能に差し込まれる差込辺を有し、該差込辺がガード用係合孔に差し込まれた状態で、ガードは側壁外面に密接し、棚板に保持されることを特徴とする。
【発明の効果】
【００１７】
本発明によれば、商品陳列用の棚板と、該棚板上の領域を左右に仕切る中仕切板とを備えた商品陳列棚において、棚板は、商品を載置する上壁と、該上壁の後端から下方に延在する後壁と、上壁及び後壁にそれぞれ形成された中仕切用係合孔を有すると共に、中仕切板は、下方に突出して中仕切用係合孔に挿脱可能に差し込まれる係合辺を有し、該係合辺は、上壁の中仕切用係合孔を通過して後壁の中仕切用係合孔に向い、当該中仕切用係合孔に進入して係脱可能に係合する形状を有することにより、格別に取付部材を用いることなく、棚板上の領域を左右に仕切る中仕切板を棚板に取り付けることが可能となる。
【００１８】
特に、中仕切板に下方に突出して形成される係合辺は、棚板の上壁の中仕切用係合孔を通過して後壁の中仕切用係合孔に向かい、当該中仕切用係合孔に進入することによって、係脱可能に棚板に係合される形状とされているため、係合辺が棚板の中仕切用係合孔に係合されている状態では、中仕切板が倒れない構成とすることができる。これにより、中仕切板を安定して棚板に取り付けることが可能となり、商品を容易に整然と陳列することが可能となる。
【００１９】
また、係る構成では、中仕切板に形成される係合辺は、上壁の中仕切用係合孔を通過した後、後壁の中仕切用係合孔に向い、当該中仕切用係合孔に進入して係脱可能に係合する形状とされているため、中仕切板を上壁に対して垂直方向に引き抜いても、中仕切板が棚板から抜けない構成とすることができる。そのため、棚上に陳列される商品を取り扱う際に、誤って中仕切板が抜けてしまう不都合を回避することが可能となる。
【００２０】
請求項２の発明によれば、上記発明において、後壁は、下端が前方に位置するよう上壁と鋭角を成しているため、中仕切板に形成される係合辺は、後壁方向への屈曲度合いを少なくすることが可能となり、当該係合辺の形状を簡素化することが可能となる。
【００２１】
また、前面が開放するショーケース庫内において、商品陳列棚を前端が低く傾斜するように架設する場合であっても、棚板の後壁がショーケースの庫内背面を形成する背面板と干渉する不都合を回避することが可能となる。
【００２２】
請求項３の発明によれば、上記各発明において、棚板の側部に立設される商品落下防止用のガードを備え、棚板は、両側端から下方に延在する側壁と、上壁の両側端部に形成されたガード用係合孔を有すると共に、ガードは、内面との間に間隔を存して下方に延在し、ガード用係合孔に挿脱可能に差し込まれる差込辺を有し、該差込辺がガード用係合孔に差し込まれた状態で、ガードは側壁外面に密接し、棚板に保持されるので、ガードを安定して棚板の側部に取り付けることができ、棚側部から棚板上面に陳列される商品が落下することを防止することが可能となる。
【００２３】
また、ガードは、着脱自在に棚板の側部に取り付けられるため、当該商品陳列棚が架設されたショーケースが隣接して設置され、各棚を連結する場合には、ガードを取り外して使用することが可能となる。他方、側方に位置する棚が段違いに架設される場合には、棚の側部にガードを取り付けて使用することが可能となり、使用形態に応じてガードを容易に着脱でき、利便性の向上を図ることができる。
【発明を実施するための最良の形態】
【００２４】
以下、本発明を適用した実施形態について図面を参照して説明する。図１は本発明を適用したショーケースの実施例としての低温ショーケース１の斜視図、図２は低温ショーケース１の概略縦断側面図を示している。各図において、低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板（庫内背面を形成する背面板を兼ねる）６及び詳細は後述する底板７が取り付けられ、これらの内側に前面に開口した陳列室５が構成されると共に、これらと断熱壁２との間に一連のダクト９が構成されている。
【００２５】
そして、このダクト９は陳列室５の開口上縁にて開口する吐出口１０と、開口下縁にて開口する吸込口１１に連通すると共に、背面のダクト９には冷却装置Ｒに含まれる冷却器１２が縦設され、底板７下方のダクト９内には送風機１３が設置される。陳列室５内には、上下に渡って詳細は後述する如き複数段の商品陳列棚８・・が架設される。
【００２６】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００２７】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００２８】
次に、図３乃至図１２を参照して商品陳列棚８について詳述する。図３は商品陳列棚８下面の斜視図、図４は棚板２５下面前部の後方斜視図、図５は図４の棚板２５前壁３１の部分背面図、図６は図４の部分縦断側面図、図７は棚板２５に中仕切板５０を取り付けた状態を示す斜視図、図８は中仕切板５０後部と棚板２５との係合状態を示す部分縦断側面図、図９は図８の中仕切板５０の係合途中状態を示す部分縦断側面図、図１０は棚板２５側部に側部ガードを取り付けた状態を示す斜視図、図１１は側部ガードの部分平面図、図１２は図１１のＡ−Ａ断面図をそれぞれ示している。
【００２９】
商品陳列棚８は、左右に取り付けられるブラケット２４、２４により、陳列室５内に設けられる支柱２３に保持される。このとき、ブラケット２４に支持される商品陳列棚８は、前端が低く傾斜し、本実施例では、当該商品陳列棚８の商品載置面（上壁）と、当該ショーケース１の設置面とが略８°の角度を形成するように、支柱２３に架設されるものとする。この商品陳列棚８は、鋼板製材料にて構成される棚板２５と、当該棚板２５の両側端に位置して下面に取り付けられる棚側板２６、２６と、棚板２５の左右に渡って下面に取り付けられる補強板２７、２７とから構成される。
【００３０】
棚板２５は、少なくとも商品が直接載置される面、即ち上壁３０上面に、フッ素塗装が施されており、上述した如く略８°の角度にて架設された際に、上面に載置される商品が自重によって、前方に滑動しやすい構成とされている。
【００３１】
そして、この棚板２５の前端は、図７の斜視図に示されるように、下方に向けて屈曲されて、棚板２５の上面に形成される上壁３０と略直角を構成する前壁３１が形成されている。また、棚板２５の後端は、下方に向けて屈曲されて、後壁３２が形成されている。この後壁３２は、下端が上壁３０の後端よりも前方に位置するように上壁３０との間に鋭角を形成する（図８参照）。尚、本実施例では、後壁３２は、棚板２５の後端を屈曲することにより、上壁３０と連続して一体に形成されているものであるが、これに限定されるものではなく、例えば、上壁を構成する棚板２５の後端に、別部材にて構成された棚後板を溶接することにより（後述する棚側板２６と同様に）、上壁３０との間に鋭角を形成する後壁３２を構成しても良いものとする。
【００３２】
そして、これら前壁３１及び後壁３２の端部は、内方、即ち、前壁３１は後方に、後壁３２は前方に向けて略直角に折曲されたフランジ３１Ａ、３２Ａが形成されている。図７では棚側板２６を省略している。
【００３３】
棚側板２６は、断面略Ｌ字状に折曲形成されており、側面が棚板２５の側端と略面一となるように上面を棚板２５の下面に当接させて例えばスポット溶接により固定されている。棚側板２６の側面により、棚板２５の両側端には、下方に延在する側壁３３が構成される。尚、このとき棚側板２６の両端部は、棚板２５により形成される前壁３１のフランジ３１Ａと、後壁３２のフランジ３２Ａにより被覆される。また、補強板２７は棚下前部と、棚下後部の２箇所に位置して棚板２５の下面に固定される補強部材であり、棚側板２６と同様に、例えばスポット溶接により取り付けられる。尚、この補強板２７の両端は、棚側板２６と所定間隔を形成するように設けられており、これら補強板２７と棚側板２６との間は、ブラケット２４の収容空間とされている。
【００３４】
また、当該棚板２５の下面には、ソケット４７を介して下側に架設される商品陳列棚８上の商品や、陳列室５前方を照明するための照明灯４８が着脱自在に取り付けられている。
【００３５】
一方、棚板２５の前壁３１には、図４乃至図６に示されるように、取付具３５を前壁３１に取り付けるための窓孔３６が形成されている。取付具３５は、棚板２５の前壁３１に取り付けられる商品落下防止用のガード３７を取り付けるための部材であり、一枚の棚板２５に対し、左右方向に渡って複数、本実施例では、３つ設けられる。そのため、前壁３１には、所定間隔を存して複数、本実施例では３箇所に窓孔３６が形成されている。
【００３６】
ガード３７は、棚板２５に取り付けられた状態で、棚板２５の上壁３０よりも所定寸法、例えば、上壁３０に載置されるペットボトル等の商品を確実に支持可能とする寸法だけ上方に突出して形成されるものである。本実施例におけるガード３７は、金属製の棒を矩形状に形成することにより構成される枠材３７Ａと、当該枠材３７Ａ内の左右両端に渡って構成される複数の線条３７Ｂと、この枠材３７Ａ及び線条３７Ｂに溶接等により固定される脚部３７Ｃとから構成される。脚部３７Ｃは、所定の幅寸法を有する鋼板性材料にて構成されており、枠材３７Ａの下端から所定寸法だけ下方に延出して形成されている。また、脚部３７Ｃは、棚板２５の前壁３１に形成される窓孔３６に対応する位置に左右方向に渡って複数、本実施例では３箇所に設けられている。
【００３７】
尚、この脚部３７Ｃは、上端が枠材３７Ａの上端、若しくは、上端近傍にまで延出して構成されている方が好ましい。また、本実施例では、ガード３７は、枠材と線条により構成されているものであるが、これに限定されるものではなく、上述した如き脚部３７Ｃを備えた板状部材であっても良いものとする。
【００３８】
取付具３５は、鋼板製の材料を折曲して形成されるものであり、前記窓孔３６に挿入される突出部４０と、突出部４０の両側に形成される補強部４１とから構成される。突出部４０は、前壁３１の後側より窓孔３６内に挿脱可能、且つ、略きっちりの寸法に形成されると共に、当該突出部４０が窓孔３６に挿入された状態で、突出部４０の前壁後面と窓孔３６（前壁３１前面）との間には、上下方向が開放する隙間が形成される。この隙間は、ガード３７の脚部３７Ｃを挿脱自在に保持可能とする寸法とされている。
【００３９】
補強部４１は、突出部４０の左右後端とそれぞれ連続して形成されると共に、棚板２５の前壁３１後面に当接する前壁当接面４２と、棚板２５の上壁３０下面に当接する上壁当接面４３とが連続して形成される。即ち、補強部４１は、棚板２５の前壁３１に形成される窓孔３６の両側に位置して、棚板２５の前壁３１後面から上壁３０下面に渡り連続して当接する。
【００４０】
係る構成により、取付具３５の突出部４０を棚板２５の前壁３１に形成される窓孔３６に前壁３１の後側より挿入し、突出部４０を前壁３１の前方に突出させる。このとき、突出部４０、具体的には、突出部４０の前壁後面と棚板２５の前壁３１前面との間には、上下方向に開放する隙間が形成される。また、取付具３５の補強部４１を構成する前壁当接面４２は、棚板２５の前壁３１後面に当接すると共に、上壁当接面４３は、棚板２５の上壁３０に当接する。この状態で、取付具３５を固定手段、本実施例では、リベット４５により、棚板２５の前壁３１に固定する。これにより、取付具３５は、安定して棚板２５の前壁３１に固定され、上壁３０とその前端に屈曲形成された前壁３１を有する棚板２５前部を当該取付具３５により補強することが可能となる。
【００４１】
そして、この取付具３５の突出部４０内、本実施例では、突出部４０の前壁後面と棚板２５の前壁前面との間に形成される隙間に、上方からガード３７の脚部３７Ｃを挿入し、当該ガード３７を突出部４０と棚板２５の前壁３１前面間に保持させる。これにより、ガード３７は、棚板２５の前壁３１前面に当接して設けられることにより、当該ガード３７は、商品載置面、即ち上壁３０に対し、略垂直に立設されることとなる。
【００４２】
ここで、取付具３５は、棚板２５の前壁３１後面に当接して設けられる前壁当接面４２と、上壁３０下面に当接して設けられる上壁当接面４３とから構成される補強部４１が、窓孔３６を介して前壁３１の前面側に位置してガード３７を挿入し、保持する突出部４０と連続して一体に形成されている。そのため、棚板２５上（上壁３０上面）に陳列される商品の荷重がガード３７に加わり、ガード３７の脚部３７Ｃが挿入される突出部４０が前方に引きはがされる方向に力が加わっても、当該突出部４０と連続して一体に形成される補強部４１は、棚板２５の前壁３１後面と上壁３０下面に渡り連続して形成されているため、棚板２５の上壁３０前端を屈曲することにより形成される前壁３１が前方に押し広げられる方向に変形する不都合を回避することが可能となる。従って、棚板２５上に陳列される商品の荷重によって、ガード３７が倒れてしまう不都合を回避することが可能となる。
【００４３】
これにより、棚板２５上に、例えばペットボトル入り飲料などの重量が嵩む商品が陳列され、本実施例の如く棚板２５の前端が低く傾斜して架設された場合であっても、ガード３７によって商品が落下することを防止することが可能となる。
【００４４】
そして、棚板２５の前壁３１の前面（棚板２５の前端）には、上述した如き取付具３５の突出部４０前側に位置して棚板２５の左右に延在するプライスタグ４６が取り付けられる。このプライスタグ４６は、当該棚板２５の商品載置面（上壁３０上面）に載置される商品等のプライスカード等を保持可能とする部材である。プライスタグ４６の下端は、ガード３７の下端及び棚板２５の前壁３１下面を囲繞するように後方に延在して構成され、前壁３１のフランジ３１Ａに対し着脱自在に取り付けられる。
【００４５】
これにより、ガード３７を取り付けるための取付具３５をプライスタグ４６によって隠蔽することが可能となり、外観の向上を図ることができる。
【００４６】
また、上述した如き棚板２５には、図７に示すように、棚板２５上の領域を左右に仕切る中仕切板５０が設けられる。中仕切板５０が取り付けられる棚板２５の上壁３０には、後部中仕切用係合孔５１と、前部中仕切用係合孔５２が形成されている。後部中仕切用係合孔５１は、上壁３０の後端近傍に位置する後部に位置して、左右に渡って複数形成されており、各係合孔５１は、所定間隔、例えば６ｍｍ間隔に形成されている。同様に前部中仕切用係合孔５２は、上壁３０の前部に位置して、左右に渡って複数形成されており、各係合孔５２は、それぞれの後部中仕切用係合孔５１と１対１の関係にある。即ち、各後部中仕切用係合孔５１と、それに対応する前部中仕切用係合孔５２とは、棚板２５の前端に対し略垂直に交わる直線上に位置して形成されている。
【００４７】
更に、棚板２５の後壁３２にも、中仕切用係合孔５３が左右に渡って複数形成されており、各係合孔５３は、上壁３０に形成されるそれぞれの後部中仕切用係合孔５２と１対１の関係にある。即ち、各後部中仕切用係合孔５１と、それに対応する中仕切用係合孔５３とは、棚板２５の前端に対し略垂直に交わる直線上に位置して形成されている。
【００４８】
中仕切板５０は、所定の高さ寸法を有する板状部材であり、本実施例では、棚板２５の前端から後端に渡って形成される。この中仕切板５０の下端には、棚板２５に形成される後部中仕切用係合孔５１と前部中仕切用係合孔５２が形成される位置に対応して、下方に突出する後部係合辺５４と前部係合辺５５がそれぞれ形成されている（前部係合辺５５は、図７に少許見える程度に図示する）。尚、後部係合辺５４は、上壁３０に形成される後部中仕切用係合孔５１と、後壁３２に形成される中仕切用係合孔５３に挿入可能とするため、中仕切板５０の下角隅部に形成されることとなる。
【００４９】
ここで、後部係合辺５４は、後部中仕切用係合孔５１に挿入された状態で、後端が、係合孔５１の後縁よりも後方に延出するように屈曲させて形成されると共に、当該係合辺５４の前後寸法は、いずれも後部中仕切用係合孔５１の前後寸法よりも少許小さく（係合辺５４を挿脱可能に）形成される。
【００５０】
係る構成により、商品陳列棚８に中仕切板５０を取り付ける場合には、先ず、図９に示すように中仕切板５０の後部係合辺５４を棚板２５の上壁３０に形成された後部中仕切用係合孔５１に差し込み、中仕切板５０を上壁３０と平行とし、前部係合辺５５を上壁３０に形成された前部中仕切用係合孔５２に差し込む。このとき、後部係合辺５４は、後端が、後方に延出するように屈曲させて形成されていると共に、上述したように、棚板２５の後端に形成される後壁３２は、下端が上壁３０の後端よりも前方に位置するように上壁３０との間に鋭角を形成して形成されているため、後部中仕切用係合孔５１を通過した後部係合辺５４は、後壁３２の中仕切用係合孔５３に向い、当該中仕切用係合孔５３に進入する。
【００５１】
これにより、中仕切板５０は、下端に形成される後部係合辺５４が、上壁３０に形成される係合孔５１と、後壁３２に形成される係合孔５３の二点において支持することが可能となり、商品陳列棚８に載置される商品が取り扱われる場合であっても、容易に倒れない。そのため、格別に取付部材を用いることなく、棚板２５上の領域を左右に仕切る中仕切板５０を棚板２５に取り付けることが可能となる。従って、中仕切板５０を安定して棚板２５に取り付けることが可能となり、上壁３０上面に形成される商品載置面に、商品を容易に整然と陳列することが可能となる。
【００５２】
また、係る構成では、中仕切板５０に形成される後部係合辺５４は、上壁３０の中仕切用係合孔５１を通過した後、後壁３２の中仕切用係合孔５３に向い、当該中仕切用係合孔５３に進入して係脱可能に係合する形状、即ち、後端が、係合孔５１の後縁よりも後方に延出するように屈曲させて形成されているため、中仕切板５０を上壁３０に対して垂直方向に引き抜いても、中仕切板５０が棚板２５から抜けない構成とすることができる。そのため、商品陳列棚８上に陳列される商品を取り扱う際に、誤って中仕切板５０が抜けてしまう不都合を回避することが可能となる。
【００５３】
尚、中仕切板５０を取り外す際には、上述した如き取付手順とは逆の手順、即ち、中仕切板５０の前部を上方に持ち上げ、前部係合辺５５を前部中仕切用係合孔５２から引き抜いた後、後部係合辺５５の後縁部を上壁３０に形成される後部中仕切用係合孔５１の後縁と略平行とし、そのまま上方に引き抜く。これにより、格別に工具を用いることなく中仕切板５０を棚板２５から取り外すことが可能となる。そのため、中仕切板５０の脱着作業を容易に行うことができ、利便性の向上を図ることができる。
【００５４】
また、本実施例では、棚板２５の後壁３２は、下端が前方に位置するよう上壁３０と鋭角を成しているため、中仕切板５０に形成される後部係合辺５４は、後壁３２方向への屈曲度合いを少なくすることが可能となり、当該係合辺５４の形状を簡素化することが可能となる。
【００５５】
また、本実施例の如く前面が開放するショーケース庫内であって、商品陳列棚８を前端が低く傾斜するように架設した場合であっても、棚板２５の後壁３２がショーケースの庫内背面を形成する背面板（仕切板６）と干渉する不都合を回避することが可能となる。
【００５６】
尚、本実施例では、中仕切板５０を保持するために上壁３０に形成される中仕切用係合孔は、前部と後部の二箇所であるが、これに限定されるものではなく、後部のみ、若しくは、三箇所以上形成しても良い。三箇所以上形成し、中仕切板５０に各係合孔に対応する係合辺を形成することにより、より一層、安定して中仕切板５０を保持することが可能となる。
【００５７】
上述した如く棚板２５に取り付けられる中仕切板５０は、例えば、商品陳列棚８上に、前後方向に構成される列に同一の種類の商品を載置し、これら列を区切る位置に取り付けることが好ましい。これにより、ショーケース１前面から見た際に、複数種類の商品を見分けやすく整然と陳列することが可能となる。従って、商品が整然と陳列されることで、顧客の購買意欲の増進を図ることが可能となると共に、より多くの商品を商品陳列棚８に陳列することが可能となる。
【００５８】
また、商品陳列棚８に陳列される商品の幅寸法よりも少許広い寸法となるように各中仕切板５０を取り付けることにより、本実施例の如く、前端が低く傾斜して商品陳列棚８が架設されていても、当該商品は、中仕切板５０間に形成される領域を自重により滑動した際に、列を乱すことなく、前方に移動可能となる。そのため、商品陳列棚８の前部から商品が次々と取り出されても、後部に載置された商品が、自重によって、整然と前方に移動するため、商品の前出し作業を簡素化することが可能となる。特に、リーチイン型の冷蔵庫やウォークイン型の冷蔵庫などの商品を商品陳列棚８後方から補充し、前端から取り出し可能とする先入れ先出し方式が採用される冷蔵庫において特に有用なものとなる。
【００５９】
一方、本実施例における棚板２５の側端には、当該棚側部に載置された商品が落下することを防止するための側部ガード５８が取り付けられる。棚板２５の上壁３０端部には、ガード用係合孔５９が形成されている。本実施例では、上壁３０端部は、棚板２５の側壁３３を構成する棚側板２６の上面が上壁３０に当接して取り付けられているため、当該上壁３０の端部に形成されるガード用係合孔５９と重複する部分の棚側板２６の上面にも、同様にガード用係合孔６０が形成されている。これにより、棚板２５の端部には、上下に貫通したガード用係合孔が形成される。
【００６０】
他方、側部ガード５８は、棚板２５の側壁３３に当接して上壁３０に対し略垂直に立設される板状部材であり、所定の高さ寸法を有する。本実施例では、棚板２５の前端から後端に渡って形成される。この側部ガード５８には、棚板２５に形成されるガード用係合孔５９、６０が形成される位置に対応して、差込辺６１が形成される。この差込辺６１は、棚板２５に形成されるガード用係合孔５９、６０に挿脱自在とする寸法に形成されるものであり、内面、即ち、棚板２５の側壁３３側を構成する面、との間に間隔を存して下方に延在して側部ガード５８に一体に形成される。本実施例では、側部ガード５８に、上端が側部ガード５８本体と連続して構成されるように、内方、即ち、棚板２５の側壁３３側に切り起こすことによって、差込辺６１を形成する。そして、この差込辺６１の下部は、側部ガード５８の本体と略平行となるように形成されている。尚、本実施例における側部ガード５８は、図１２の断面図に示されるように、上端が内方に所定の角度にて屈曲した保持辺６２が形成されている。
【００６１】
係る構成により、商品陳列棚８の側部、即ち、棚板２５の側壁３３に側部ガード５８を取り付ける際には、棚板２５の側壁３３に側部ガード５８を宛い、図１２に示すように、側部ガード５８に形成されている差込辺６１を棚板２５の上壁３０上方からガード用係合孔５９、６０に順次差し込む。これにより、差込辺６１がガード用係合孔５９、６０に差し込まれた状態で、側部ガード５８は棚板２５の側壁３３外面に密接し、棚板２５に保持される。
【００６２】
これにより、側部ガード５８を安定して棚板２５の側部に上壁３０に対し、略垂直に取り付けることができ、棚８側部から棚板２５上面（上壁３０上面）に陳列される商品が落下することを防止することが可能となる。
【００６３】
また、側部ガード５８は、着脱自在に棚板２５の側部に取り付けることができるため、当該商品陳列棚８が架設されたショーケース１が隣接して設置され、各棚８を連結する場合には、図７に示すように側部ガード５８を取り外して使用することが可能となる。これにより、ショーケース１が隣接して設置される場合であっても、各棚８を連続的に架設することが可能となり、一体感を向上させることができる。
【００６４】
ショーケース１が隣接して設置された際に、側方に位置するショーケース１の商品陳列棚８が段違いに架設される場合には、図１０に示すように商品陳列棚８の側部に上述した如く側部ガード５８を取り付けて使用することが可能となり、使用形態に応じてガードを容易に着脱でき、利便性の向上を図ることができる。
【００６５】
次に、陳列室５の底壁を構成する底板７について図１３及び図１４を参照して説明する。図１３は底板７の斜視図、図１４は底板７の部分縦断側面図を示している。本実施例における底板７は、鋼板性材料の前端を下方に屈曲することにより前壁６４が形成され、後端を下方に屈曲することにより後壁６５が形成され、両側端を下方に屈曲することにより側壁７０が形成される。これにより、底板７は、下方に開口する矩形状とされる。
【００６６】
そして、底板７の商品を陳列する上壁６３は、前端が低く傾斜し、ショーケース１の設置面に対し略８°の角度を成すように、前壁６４が後壁６５よりも低く形成される。また、底板７は、少なくとも商品が直接載置される面、即ち上壁６３上面に、フッ素塗装が施されており、略８°の角度となるように傾斜して形成された上壁６３上面に載置される商品が自重によって、前方に滑動しやすい構成とされている。
【００６７】
そして、この底板７には、底板７上の領域を左右に仕切る中仕切板６６が設けられる。中仕切板６６が取り付けられる底板７の上壁６３には、後部中仕切用係合孔６７と、中央部中仕切用係合孔６８と、前部中仕切用係合孔６９が形成されている。後部中仕切用係合孔６７は、上壁６３の後部から後壁６５の上部に渡って、左右方向に複数形成されており、各係合孔６７は、所定間隔、例えば６ｍｍ間隔に形成されている。中央部及び前部中仕切用係合孔６８、６９は、それぞれ上壁３０の中央部及び前部に位置して、左右に渡って複数形成されており、各係合孔６８、６９は、それぞれの後部中仕切用係合孔６７と１対１の関係にある。即ち、各後部中仕切用係合孔６７と、それに対応する中央部及び前部中仕切用係合孔６８、６９とは、側板７の前端に対し略垂直に交わる直線上に位置して形成されている。
【００６８】
中仕切板６６は、所定の高さ寸法を有する板状部材であり、本実施例では、底板７の前端から後端に渡って形成される。この中仕切板６６の下端には、底板７に形成される後部中仕切用係合孔６７と中央部中仕切用係合孔６８と、前部中仕切用係合孔６９が形成される位置にそれぞれ対応して、下方に突出する係合辺７１が形成されている。尚、中央部中仕切用係合孔６８及び前部中仕切用係合孔６９に対応して形成される係合辺７１は、図１３に少許見える程度に図示する。また、後部に形成される係合辺７１は、上壁６３及び後壁６５に渡って形成される後部中仕切用係合孔６７に挿入可能とするため、中仕切板６６の下角隅部に形成されることとなる。
【００６９】
係る構成により、底板７に中仕切板６６を取り付ける場合には、中仕切板６６に形成された各係合辺７１をそれぞれ底板７の上壁６３に形成された後部中仕切用係合孔６７と、中央部中仕切用係合孔６８と、前部中仕切用係合孔６９に対応させて差し込む。
【００７０】
このとき、後部中仕切用係合孔６７に差し込まれた中仕切板６６の係合辺７１は、係合孔６７に差し込まれた状態で、上壁６３及び後壁６５の双方と交差するので、安定して中仕切板６６を支持することが可能となる。
【００７１】
そのため、中仕切板６６が容易に倒れてしまう不都合を解消することが可能となり、底板７上面、即ち、上壁６３上面を左右に安定的に仕切ることができる。これにより、商品の陳列を整然と行うことが可能となる。また、中仕切板６６は、各係合辺７１を底板７に形成された各係合孔６７、６８、６９に挿入するのみで取り付けられ、取り外す際には、中仕切板６６を上壁６３と略平行の状態を維持したまま上方に引き抜くことにより行うことができるため、格別な工具や取付具を用いることなく中仕切板６６の脱着作業を行うことが可能となる。これにより、取付作業の簡素化を実現することができる。
【００７２】
尚、本実施例における中仕切板６６の後部に形成される係合辺７１は、後端が内方に少許傾斜して形成され、底板７の後部中仕切用係合孔６７に挿入された状態で、当該係合辺７１の後端が底板７の後壁６５から後方に大きく突出しない形成としても良いものとする。これにより、当該底板７が陳列室５の背面に形成される仕切板６と近接して取り付けられても、当該中仕切板６６の係合辺７１が干渉する不都合を回避することが可能となる。
【００７３】
尚、本実施例では、中仕切板６６を保持するために上壁６３（及び後壁６５）に形成される中仕切用係合孔は、前部と、中央部と、後部の三箇所であるが、これに限定されるものではなく、後部のみ、若しくは、前部と後部のみ、又は、四箇所以上形成しても良い。
【００７４】
上述した如き底板７に取り付けられる中仕切板６６は、例えば、底板７上に、前後方向に構成される列に同一の種類の商品を載置し、これら列を区切る位置に取り付けることが好ましい。これにより、ショーケース１前面から見た際に、複数種類の商品を見分けやすく整然と陳列することが可能となる。従って、商品が整然と陳列されることで、顧客の購買意欲の増進を図ることが可能となると共に、より多くの商品を底板７に陳列することが可能となる。
【００７５】
また、底板７に陳列される商品の幅寸法よりも少許広い寸法となるように各中仕切板６６を取り付けることにより、本実施例の如く、前端が低く傾斜して底板７が形成されていても、当該商品は、中仕切板６６間に形成される領域を自重により滑動した際に、列を乱すことなく、前方に移動可能となる。そのため、底板７の前部から商品が次々と取り出されても、後部に載置された商品が、自重によって、整然と前方に移動するため、商品の前出し作業を簡素化することが可能となる。特に、リーチイン型の冷蔵庫やウォークイン型の冷蔵庫などの商品を底板７後方から補充し、前端から取り出し可能とする先入れ先出し方式が採用される冷蔵庫において特に有用なものとなる。
【図面の簡単な説明】
【００７６】
【図１】本発明を適用した低温ショーケースの斜視図である。
【図２】低温ショーケースの概略縦断側面図である。
【図３】商品陳列棚下面の斜視図である。
【図４】棚板下面前部の後方斜視図である。
【図５】図４の棚板前壁の部分背面図である。
【図６】図４の部分縦断側面図である。
【図７】棚板に中仕切部材を取り付けた状態を示す斜視図である。
【図８】中仕切部材後部と棚板との係合状態を示す部分縦断側面図である。
【図９】図８の中仕切部材の係合途中状態を示す部分縦断側面図である。
【図１０】棚板側部に側部ガードを取り付けた状態を示す斜視図である。
【図１１】側部ガードの部分平面図である。
【図１２】図１１のＡ−Ａ断面図である。
【図１３】底板の斜視図である。
【図１４】底板の部分縦断側面図である。
【符号の説明】
【００７７】
１    低温ショーケース
２    断熱壁
４    本体
５    陳列室
６    仕切板
７    底板
８    商品陳列棚
２４  ブラケット
２５  棚板
２６  棚側板
２７  補強板
３０  上壁
３１  前壁
３２  後壁
３３  側壁
３５  取付具
３７  ガード
４６  プライスタグ
５０  中仕切板
５１  後部中仕切用係合孔（上壁）
５２  前部中仕切用係合孔
５３  中仕切用係合孔（後壁）
５４  後部係合辺
５５  前部係合辺
５８  側部ガード
５９、６０  ガード用係合孔
６１  差込辺
６２  保持辺
【図１】
2008073217.tif 000003
【図２】
2008073217.tif 000004
【図３】
2008073217.tif 000005
【図４】
2008073217.tif 000006
【図５】
2008073217.tif 000007
【図６】
2008073217.tif 000008
【図７】
2008073217.tif 000009
【図８】
2008073217.tif 000010
【図９】
2008073217.tif 000011
【図１０】
2008073217.tif 000012
【図１１】
2008073217.tif 000013
【図１２】
2008073217.tif 000014
【図１３】
2008073217.tif 000015
【図１４】
2008073217.tif 000016